(57)【特許請求の範囲】
【請求項１】
物体側から順に、正の第１レンズ群、負の第２レンズ群、正の第３レンズ群、正の第４レンズ群からなり、短焦点距離端から長焦点距離端への変倍に際し、第２レンズ群が物体側から像側に移動し、変倍に伴う像面移動を補正するように第４レンズ群を移動させるズームレンズ系において、
第２レンズ群は、変倍中にその倍率が等倍となる点を通ること、
全てのズーミング域で第４レンズ群をフォーカスレンズ群とし、少なくとも一部のズーミング域で更に第２レンズ群をフォーカスレンズ群とすること、
第２レンズ群のフォーカシング移動量に対する第４レンズ群のフォーカシング移動量の比は、全てのズーミング域で一定であること、及び
次の条件式（９）を満足することを特徴とするズームレンズ系。
（９）０＜dX4／dX2＜６
但し、
dX4：第４レンズ群のフォーカシング移動量、
dX2：第２レンズ群のフォーカシング移動量。
【請求項２】
請求項１記載のズームレンズ系において、dX4／dX2の値は整数値をとるズームレンズ系。
【請求項３】
物体側から順に、正の第１レンズ群、負の第２レンズ群、正の第３レンズ群、正の第４レンズ群からなり、短焦点距離端から長焦点距離端への変倍に際し、第２レンズ群が物体側から像側に移動し、変倍に伴う像面移動を補正するように第４レンズ群を移動させるズームレンズ系において、
第２レンズ群は、変倍中にその倍率が等倍となる点を通ること、
全てのズーミング域で第４レンズ群をフォーカスレンズ群とし、少なくとも一部のズーミング域で更に第２レンズ群をフォーカスレンズ群とすること、
第２レンズ群のフォーカシング移動量に対する第４レンズ群のフォーカシング移動量の比は、短焦点距離端から長焦点距離端のズーミングによる焦点距離変化に応じて変化すること、及び
前記移動量比は次の条件式（１０）を満足しながら変化することを特徴とするズームレンズ系。
（１０）０≦dX2/dX4≦１
但し、
dX4：第４レンズ群のフォーカシング移動量、
dX2：第２レンズ群のフォーカシング移動量。
【請求項４】
請求項３記載のズームレンズ系において、dX2/dX4の値は、短焦点距離端から長焦点距離端にかけて、０から１になり、次いで１未満となるように順に段階的に変化するズームレンズ系。
【発明の詳細な説明】
【技術分野】
【０００１】
本発明は、ビデオカメラ、デジタルカメラ等に適する変倍比がおよそ１０倍で小型なズームレンズ系に関し、特に物体側から順に、正負正正の４群構成のズームレンズ系に関する。
【背景技術】
【０００２】
物体側から順に正負正正の４群ズームレンズ系では、最終第４レンズ群をフォーカスレンズとするリアフォーカスが多く採用されている。しかしリヤフォーカスタイプは、最短撮影距離を短くすると、フォーカスレンズの移動量が多く時間がかかってしまう。像面湾曲が大きく発生するという問題もある。
【０００３】
第２レンズ群をフォーカスレンズ群とするインナーフォーカスも知られているが、主に変倍作用を担う負の第２レンズ群は変倍移動中に大きく倍率が変化するのでその倍率の中に等倍を含むことも多く、等倍のときにフォーカシングができなくなってしまう。これを避けようとすると等倍を通らない縮小倍率のみあるいは拡大倍率のみの変倍領域で設計しなければならず、設計の制約条件となる。
【先行技術文献】
【特許文献】
【０００４】
【特許文献１】特許第２９０１１４４号
【特許文献２】特開平１１-３８３１７号公報
【特許文献３】特開２０００-１７１７１２号公報
【特許文献４】特許第３０９７３９５号
【特許文献５】特開２０００-７５２０４号公報
【発明の概要】
【発明が解決しようとする課題】
【０００５】
レンズの小型化には負の第２レンズ群からの発散光を結像する正の第３レンズ群、第４レンズ群のレンズタイプが重要になる。
本発明は、物体側から順に正負正正の４群ズームレンズ系であって、１０倍程度の変倍比を持ちながら小型化が可能なズームレンズ系を得ることを目的とする。本発明は特に第４レンズ群の構成に着目して新しい構成を提案することを目的とする。
【課題を解決するための手段】
【０００６】
本発明は、物体側から順に、正の第１レンズ群、負の第２レンズ群、正の第３レンズ群、正の第４レンズ群からなり、短焦点距離端から長焦点距離端への変倍に際し、第２レンズ群が物体側から像側に移動し、変倍に伴う像面移動を補正するように第４レンズ群を移動させるズームレンズ系において、第４レンズ群は、物体側から順に、正の単レンズからなる第４ａレンズ群と、負レンズと正レンズの貼合せレンズからなる第４ｂレンズ群とからなり、第４ａレンズ群は少なくとも物体側の面に、近軸球面と比較して光軸からの高さが高くなるほどパワーが弱くなるような非球面を有し、次の条件式（１）及び（２）を満足することを特徴としている。
（１）-０．５５＜ｆ4a／ｆ4b＜-０．０７
（２）０．１５＜ｄ4ab／ｆ4＜０．５０
但し、
ｆ4a；第４ａレンズ群の焦点距離、
ｆ4b；第４ｂレンズ群の焦点距離、
ｄ4ab；第４ａレンズ群と第４ｂレンズ群の間隔、
ｆ4；第４レンズ群の焦点距離、
である。
【０００７】
第１レンズ群は、具体的には例えば、物体側から順に、負レンズと正レンズの貼合わせレンズと、物体側に凸の正メニスカスレンズとからなり、第２レンズ群は、物体側から順に、像側に強い凹面を向けた負レンズと、物体側が凹面の正レンズと負レンズの貼合わせレンズと、正レンズとから構成することができ、第３レンズ群は、正レンズと負レンズの貼合わせレンズから構成することができる。そして、次の条件式（３）を満足することが好ましい。
（３）０．０７＜ｆ3／ｆ4＜２．５０
但し、
ｆ3；第３レンズ群の焦点距離、
ｆ4；第４レンズ群の焦点距離、
である。
【０００８】
本発明のズームレンズ系は、次の条件式（４）を満足するのがよい。
（４）−０．８５＜ｆｗ／ｆ2＜−０．７
ｆｗ；短焦点距離端における全系の焦点距離、
ｆ2；第２レンズ群の焦点距離、
である。
【０００９】
また、次の条件式（５）及び（６）を満足するのがよい。
（５）ν12＞７０
（６）１．９＜ν11／ｆ11+((ν12+ν13)／２)／ｆ12-13＜２．９
但し、
ν12；第１レンズ群の物体側から２番目のレンズのアッベ数、
ν11：第１レンズ群の最も物体側のレンズのアッベ数、
ｆ11[mm]；第１レンズ群の最も物体側のレンズの焦点距離、
ν13：第１レンズ群の物体側から３番目のレンズのアッベ数、
ｆ12-13[mm]；第１レンズ群の物体側から２番目と３番目のレンズの合成焦点距離、
である。
【００１０】
第３レンズ群を正レンズと負レンズの接合レンズから構成する場合には、該正レンズの接合されていない面を、近軸球面に比して光軸からの高さが高くなるほどパワーが弱くなるような非球面とし、次の条件式（７）及び（８）を満足させることが好ましい。
（７）ν3p＞８０
（８）３．８＜ν3p／ｆ3p+ν3n／ｆ3n＜６．０
但し、
ν3p；第３レンズ群中の正レンズのアッベ数、
ｆ3p[mm]；第３レンズ群中の正レンズの焦点距離、
ν3n；第３レンズ群中の負レンズのアッベ数、
ｆ3n[mm]；第３レンズ群中の負レンズの焦点距離、
である。
【００１１】
本発明は、別の態様によると、物体側から順に、正の第１レンズ群、負の第２レンズ群、正の第３レンズ群、正の第４レンズ群からなり、短焦点距離端から長焦点距離端への変倍に際し、第２レンズ群が物体側から像側に移動し、変倍に伴う像面移動を補正するように第４レンズ群を移動させるズームレンズ系において、第２レンズ群は、変倍中にその倍率が等倍となる点を通ること、及び全てのズーミング域で第４レンズ群をフォーカスレンズ群とし、少なくとも一部のズーミング域で更に第２レンズ群をフォーカスレンズ群とすること；を特徴としている。
【００１２】
この態様においては、第２レンズ群のフォーカシング移動量に対する第４レンズ群のフォーカシング移動量の比を、全てのズーミング域で一定とする態様と、変化させる態様とが可能である。一定とする態様では、次の条件式（９）を満足させることが好ましい。
（９）０＜dX4／dX2＜６
但し、
dX4：第４レンズ群のフォーカシング移動量、
dX2：第２レンズ群のフォーカシング移動量、
である。
このdX4／dX2の値は整数値とすると、制御が容易である。
【００１３】
一方、変化させる態様、すなわち、第２レンズ群のフォーカシング移動量に対する第４レンズ群のフォーカシング移動量の比を、短焦点距離端から長焦点距離端のズーミングによる焦点距離変化に応じて変化させる態様では、次の条件式（１０）を満足させながら変化させることが好ましい。
（１０）０≦dX2/dX4≦１
但し、
dX4：第４レンズ群のフォーカシング移動量、
dX2：第２レンズ群のフォーカシング移動量、
である。
このdX2/dX4の値は、短焦点距離端から長焦点距離端にかけて、０から１になり、次いで１未満（例えば１／２、１／３）となるように順に段階的に変化させることができる。
【発明の効果】
【００１４】
本発明によれば、物体側から順に正負正正の４群ズームレンズ系であって、１０倍程度の変倍比を持ちながら小型なズームレンズ系を得ることができる。
【図面の簡単な説明】
【００１５】
【図１】本発明によるズームレンズ系の第１実施例の短焦点距離端での無限遠物点フォーカス時のレンズ構成図である。
【図２】図１のレンズ構成での諸収差図である。
【図３】同第１実施例の中間焦点距離での無限遠物点フォーカス時のレンズ構成図である。
【図４】図３のレンズ構成での諸収差図である。
【図５】同第１実施例の長焦点距離端での無限遠物点フォーカス時のレンズ構成図である。
【図６】図５のレンズ構成での諸収差図である。
【図７】同第１実施例の短焦点距離端での有限距離物点フォーカス時の諸収差図である。
【図８】同第１実施例の中間焦点距離での有限距離物点フォーカス時の諸収差図である。
【図９】同第１実施例の長焦点距離端での有限距離物点フォーカス時の諸収差図である。
【図１０】本発明によるズームレンズ系の第２実施例の短焦点距離端での無限遠物点フォーカス時のレンズ構成図である。
【図１１】図１０のレンズ構成での諸収差図である。
【図１２】同第２実施例の中間焦点距離での無限遠物点フォーカス時のレンズ構成図である。
【図１３】図１２のレンズ構成での諸収差図である。
【図１４】同第２実施例の長焦点距離端での無限遠物点フォーカス時のレンズ構成図である。
【図１５】図１４のレンズ構成での諸収差図である。
【図１６】同第２実施例の短焦点距離端での有限距離物点フォーカス時の諸収差図である。
【図１７】同第２実施例の中間焦点距離での有限距離物点フォーカス時の諸収差図である。
【図１８】同第２実施例の長焦点距離端での有限距離物点フォーカス時の諸収差図である。
【図１９】本発明によるズームレンズ系の第３実施例の短焦点距離端での無限遠物点フォーカス時のレンズ構成図である。
【図２０】図１９のレンズ構成での諸収差図である。
【図２１】同第３実施例の中間焦点距離での無限遠物点フォーカス時のレンズ構成図である。
【図２２】図２１のレンズ構成での諸収差図である。
【図２３】同第３実施例の長焦点距離端での無限遠物点フォーカス時のレンズ構成図である。
【図２４】図２３のレンズ構成での諸収差図である。
【図２５】同第３実施例の短焦点距離端での有限距離物点フォーカス時の諸収差図である。
【図２６】同第３実施例の中間焦点距離での有限距離物点フォーカス時の諸収差図である。
【図２７】同第３実施例の長焦点距離端での有限距離物点フォーカス時の諸収差図である。
【図２８】本発明によるズームレンズ系の第４実施例の短焦点距離端での無限遠物点フォーカス時のレンズ構成図である。
【図２９】図２８のレンズ構成での諸収差図である。
【図３０】同第４実施例の中間焦点距離での無限遠物点フォーカス時のレンズ構成図である。
【図３１】図３０のレンズ構成での諸収差図である。
【図３２】同第４実施例の長焦点距離端での無限遠物点フォーカス時のレンズ構成図である。
【図３３】図３２のレンズ構成での諸収差図である。
【図３４】同第４実施例の短焦点距離端での有限距離物点フォーカス時の諸収差図である。
【図３５】同第４実施例の中間焦点距離での有限距離物点フォーカス時の諸収差図である。
【図３６】同第４実施例の長焦点距離端での有限距離物点フォーカス時の諸収差図である。
【図３７】本発明によるズームレンズ系の第５実施例の短焦点距離端での無限遠物点フォーカス時のレンズ構成図である。
【図３８】図３７のレンズ構成での諸収差図である。
【図３９】同第５実施例の中間焦点距離での無限遠物点フォーカス時のレンズ構成図である。
【図４０】図３９のレンズ構成での諸収差図である。
【図４１】同第５実施例の長焦点距離端での無限遠物点フォーカス時のレンズ構成図である。
【図４２】図４１のレンズ構成での諸収差図である。
【図４３】同第５実施例の短焦点距離端での有限距離物点フォーカス時の諸収差図である。
【図４４】同第５実施例の中間焦点距離での有限距離物点フォーカス時の諸収差図である。
【図４５】同第５実施例の長焦点距離端での有限距離物点フォーカス時の諸収差図である。
【図４６】本発明によるズームレンズ系の第６実施例の短焦点距離端での無限遠物点フォーカス時のレンズ構成図である。
【図４７】図４６のレンズ構成での諸収差図である。
【図４８】同第６実施例の中間焦点距離での無限遠物点フォーカス時のレンズ構成図である。
【図４９】図４８のレンズ構成での諸収差図である。
【図５０】同第６実施例の長焦点距離端での無限遠物点フォーカス時のレンズ構成図である。
【図５１】図５０のレンズ構成での諸収差図である。
【図５２】同第６実施例の短焦点距離端での有限距離物点フォーカス時の諸収差図である。
【図５３】同第６実施例の中間焦点距離での有限距離物点フォーカス時の諸収差図である。
【図５４】同第６実施例の長焦点距離端での有限距離物点フォーカス時の諸収差図である。
【図５５】本発明によるズームレンズ系の第７実施例の短焦点距離端での無限遠物点フォーカス時のレンズ構成図である。
【図５６】図５５のレンズ構成での諸収差図である。
【図５７】同第７実施例の中間焦点距離での無限遠物点フォーカス時のレンズ構成図である。
【図５８】図５７のレンズ構成での諸収差図である。
【図５９】同第７実施例の長焦点距離端での無限遠物点フォーカス時のレンズ構成図である。
【図６０】図５９のレンズ構成での諸収差図である。
【図６１】同第７実施例の短焦点距離端での有限距離物点フォーカス時の諸収差図である。
【図６２】同第７実施例の中間焦点距離での有限距離物点フォーカス時の諸収差図である。
【図６３】同第７実施例の長焦点距離端での有限距離物点フォーカス時の諸収差図である。
【図６４】本発明によるズームレンズ系の第８実施例の短焦点距離端での無限遠物点フォーカス時のレンズ構成図である。
【図６５】図６４のレンズ構成での諸収差図である。
【図６６】同第８実施例の中間焦点距離での無限遠物点フォーカス時のレンズ構成図である。
【図６７】図６６のレンズ構成での諸収差図である。
【図６８】同第８実施例の長焦点距離端での無限遠物点フォーカス時のレンズ構成図である。
【図６９】図６８のレンズ構成での諸収差図である。
【図７０】同第８実施例の短焦点距離端での有限距離物点フォーカス時の諸収差図である。
【図７１】同第８実施例の中間焦点距離での有限距離物点フォーカス時の諸収差図である。
【図７２】同第８実施例の長焦点距離端での有限距離物点フォーカス時の諸収差図である。
【図７３】本発明によるズームレンズ系の第９実施例の短焦点距離端での無限遠物点フォーカス時のレンズ構成図である。
【図７４】図７３のレンズ構成での諸収差図である。
【図７５】同第９実施例の中間焦点距離での無限遠物点フォーカス時のレンズ構成図である。
【図７６】図７５のレンズ構成での諸収差図である。
【図７７】同第９実施例の長焦点距離端での無限遠物点フォーカス時のレンズ構成図である。
【図７８】図７７のレンズ構成での諸収差図である。
【図７９】同第９実施例の短焦点距離端での有限距離物点フォーカス時の諸収差図である。
【図８０】同第９実施例の中間焦点距離での有限距離物点フォーカス時の諸収差図である。
【図８１】同第９実施例の長焦点距離端での有限距離物点フォーカス時の諸収差図である。
【図８２】本発明によるズームレンズ系の第１０実施例の短焦点距離端での無限遠物点フォーカス時のレンズ構成図である。
【図８３】図８２のレンズ構成での諸収差図である。
【図８４】同第１０実施例の中間焦点距離での無限遠物点フォーカス時のレンズ構成図である。
【図８５】図８４のレンズ構成での諸収差図である。
【図８６】同第１０実施例の長焦点距離端での無限遠物点フォーカス時のレンズ構成図である。
【図８７】図８６のレンズ構成での諸収差図である。
【図８８】同第１０実施例の短焦点距離端での有限距離物点フォーカス時の諸収差図である。
【図８９】同第１０実施例の中間焦点距離での有限距離物点フォーカス時の諸収差図である。
【図９０】同第１０実施例の長焦点距離端での有限距離物点フォーカス時の諸収差図である。
【図９１】本発明によるズームレンズ系の第１１実施例の短焦点距離端での無限遠物点フォーカス時のレンズ構成図である。
【図９２】図９１のレンズ構成での諸収差図である。
【図９３】同第１１実施例の中間焦点距離での無限遠物点フォーカス時のレンズ構成図である。
【図９４】図９３のレンズ構成での諸収差図である。
【図９５】同第１１実施例の長焦点距離端での無限遠物点フォーカス時のレンズ構成図である。
【図９６】図９５のレンズ構成での諸収差図である。
【図９７】同第１１実施例の短焦点距離端での有限距離物点フォーカス時の諸収差図である。
【図９８】同第１１実施例の中間焦点距離での有限距離物点フォーカス時の諸収差図である。
【図９９】同第１１実施例の長焦点距離端での有限距離物点フォーカス時の諸収差図である。
【図１００】本発明によるズームレンズ系の簡易移動図である。
【発明を実施するための形態】
【００１６】
本発明によるズームレンズ系は、図１００の簡易移動図に示すように、物体側から順に、正の第１レンズ群１０、負の第２レンズ群２０、絞りＳ、正の第３レンズ群３０、及び正の第４レンズ群４０からなっている。短焦点距離端から長焦点距離端への変倍に際し、第１レンズ群１０と第３レンズ群３０は移動せず（固定され）、第２レンズ群２０は像側へ移動する。Ｉは結像面である。第４レンズ群４０は、以上の変倍の際に生じる焦点移動を補償するために光軸方向に移動する。絞りＳは第３レンズ群３０に設ける。フォーカシングは、理論上は、第１レンズ群１０から第２レンズ群のいずれでも行うことができる。本実施形態では、第２レンズ群２０と第４レンズ群４０をフォーカスレンズ群としている。なお、いかなる物体距離においても変倍の際に焦点移動を生じないレンズ系をズームレンズ系、焦点移動を生じるレンズ系をバリフォーカル系と区分する立場もあるが、本実施形態ではバリフォーカル系をズームレンズ系と呼ぶ。
【００１７】
第４レンズ群４０は、各数値実施例のレンズ構成図に示すように、物体側から順に、正の単レンズからなる第４ａレンズ群４０ａと、負レンズと正レンズの貼合せレンズからなる第４ｂレンズ群４０ｂとからなり、第４ａレンズ群４０ａは少なくとも物体側の面に、近軸球面と比較して光軸からの高さが高くなるほどパワーが弱くなるような非球面を有している。
【００１８】
正負正正の４群ズームレンズ系は各種が知られているが、第１レンズ群が負正の接合レンズと正メニスカスを含み、第２レンズ群が負負正の３枚のレンズからなるという基本構成は共通であり、接合レンズ等でバリエーションを与えている。レンズ系のサイズに大きな影響を与えるのは、主たる変倍作用を担う負の第２レンズ群であり、変倍比の増大に伴い第２レンズ群の移動量も大きくなる。
【００１９】
そこでレンズの小型化には第２レンズ群からの発散光を結像する正の第３レンズ群、第４レンズ群のレンズタイプが重要になる。本実施形態では、第４レンズ群を非球面を持つ正の単レンズからなる第４ａレンズ群と負正の接合レンズからなる第４ｂレンズ群から構成し、条件式（１）を満足させている。
【００２０】
条件式（１）は、第４ａレンズ群と第４ｂレンズ群の焦点距離の比を規定するもので、小型化のための条件である。条件式（１）の下限を越えると、第４ａレンズ群の焦点距離（ｆ4a）が相対的に大きくなるため第４レンズ群の大型化を招きレンズ全体の小型化に不利となる。条件式（１）の上限を超えると、ｆ4aが相対的に小さくなり小型化には有利となるが、４群全体のパワーを保つため第４ｂレンズ群の焦点距離（ｆ4b）（負のパワー）も大となり球面収差やコマ収差を適切に保てなくなる。あるいはｆ4bの絶対値が大きくなると、やはり４群の大型化を招き、また球面収差補正の効果が弱くなり球面収差が補正不足となる。
【００２１】
条件式（２）は、第４ａレンズ群と第４ｂレンズ群の間隔に関する条件で、条件式（１）と合わせて第４レンズ群の小型化と収差を適切に保つための条件である。条件式（２）の下限を越えて第４ａレンズ群と第４ｂレンズ群の間隔が小さくなると、第４ｂレンズ群への入射高さが高くなり正の球面収差が大きく発生する。また第４ｂレンズ群は負レンズ群であるので、焦点距離に比べて全長を小さくする望遠タイプの効果が弱くなりレンズ群全体の大型化を招く。条件式（２）の上限を超えて間隔が大きくなると、全長を小さくする効果は大きくなるが第４ｂレンズ群への入射高さも低くなり収差補正の効果が小さくなり収差を適切に保てなくなる。
【００２２】
本ズームレンズ系は、具体的には例えば、第１レンズ群は、物体側から順に、負レンズと正レンズの貼合わせレンズと、物体側に凸の正メニスカスレンズとで構成し、第２レンズ群は、物体側から順に、像側に強い凹面を向けた負レンズと、物体側が凹面の正レンズと負レンズの貼合わせレンズと、正レンズとで構成し、第３レンズ群は、正レンズと負レンズの貼合わせレンズから構成するのがよい。第３レンズ群の正負レンズの順番は自由度がある。
【００２３】
条件式（３）は、第３レンズ群と第４レンズ群の焦点距離の比に関する条件である。条件式（３）の下限を越えて第３レンズ群のパワーが強くなると、第３レンズ群中の正レンズに非球面を設けても収差発生が大きくなり、正負レンズの貼合せレンズのみで第３レンズ群を構成することができなくなる。条件式（３）の上限を超えると、第３レンズ群の焦点距離が相対的に大きくなった場合は第３レンズ群での色収差が焦点距離に比例し大きくなりレンズ全系の色収差を保てなくなる。また第４レンズ群の焦点距離が相対的に小さくなった場合は第４レンズ群のパワーが強くなりすぎ球面収差やコマ収差を適切に保てなくなる。
【００２４】
条件式（４）は負の第２レンズ群のパワーを規定している。条件式（４）の上限を越えて第２レンズ群のパワーが弱くなると、およそ１０倍の変倍比を得るには第２レンズ群の変倍時の移動量が大きくなりレンズ全長を小型に保てなくなる。条件式（４）の下限を超えて第２レンズ群の負のパワーが強くなると、変倍時の移動量は小さくできるが、第２レンズ群での収差発生が大きくなりズーム全域で収差を保つことができなくなる。
【００２５】
条件式（５）は、第１レンズ群の物体側から２番目の正レンズのアッベ数に関する条件であり、条件式（６）とあわせて第１レンズ群内の色収差を良好に補正するための条件である。およそ１０倍の高変倍比を持つズームレンズ系では、長焦点距離端の焦点距離が非常に長くなるため、色収差が大きくなり勝ちである。これを小さく留めるには第１レンズ群の色収差を適切に保たなければならない。また小型化するため第１レンズ群は比較的パワーも強くなりがちで長焦点距離側の球面収差に影響するので第１レンズ群の収差を小さくしなければならない。
【００２６】
条件式（６）は、第１レンズ群中の各レンズのパワー及び硝材に関する条件である。色収差補正のために、条件式（５）を満足するように第１レンズ群の第２レンズの硝材を選んだとき、球面収差の補正のためには、第１レンズ群の第３レンズには比較的屈折率の高いガラスを選ぶことが好ましい。条件式（６）を満足することにより、色収差を保ちながら球面収差を良好に補正することができる。
【００２７】
条件式（７）と（８）は、第３レンズ群の色収差を良好に補正するための条件を規定している。第３レンズ群の色収差は主にレンズ全系の倍率の色収差に影響するが、正負貼合せレンズからなる第３レンズ群の正レンズを、条件式（７）のようにアッベ数が特に大きな硝材から構成すれば、全系の倍率色収差をズーム全域で適切に保つことができる。条件式（７）を越えると、条件式（８）を保つのが困難となる。条件式（８）は第３レンズ群の色消し条件であり、条件式（８）を満たすように正レンズ及び負レンズを選択し、パワーを規定することによって第３レンズ群内の色消しが容易となる。
【００２８】
本ズームレンズ系では、第１レンズ群から第４レンズ群のいずれのレンズ群もフォーカスレンズ群となり得る。しかし、本実施形態では特に第２レンズ群と第４レンズ群の２つのレンズ群をフォーカスレンズ群としている。従来のビデオ用の正負正正の４群ズームレンズ系などではフォーカスレンズを動かす電動駆動系を省電力化するため大きな第１レンズ群をフォーカスレンズ群とせず、第４レンズ群でフォーカスするものが多い。しかし、第４レンズ群をフォーカスレンズ群とすると、最短撮影距離を短くすることが求められている最近のズームレンズ系では、第４レンズ群の移動量が大きくなってしまいフォーカス動作が遅くなってしまう。また第４レンズ群を大きく動かすと、第３レンズ群との間隔変化が大きくなり、この間隔変化は像面湾曲を増大させてしまう。これを解決するため、パワーが大きい第２レンズ群をフォーカスレンズ群とするズームレンズ系も知られている。このインナーフォーカスタイプは、フォーカスレンズ群（第２レンズ群）の移動量が少なくてすみ、収差変化も小さいという利点があるが、およそ１０倍という高変倍比を達成すると、第２レンズ群はズーム域の途中で倍率が等倍になることが多い。等倍のズーム位置では縦倍率も等倍のため第２レンズ群を動かしても第２レンズ群の像点が動かず第２レンズ群でフォーカスができなくなってしまう。
【００２９】
本実施形態では、このような問題点を解決するため、第２レンズ群と第４レンズ群の両方を動かしてフォーカシングしている。パワーの強い第２レンズ群を動かすことで第４レンズ群のみの場合よりフォーカス移動量を小さくしてフォーカス速度を速め、像面湾曲の変化も小さくしている。また第２レンズ群が等倍のときも第４レンズ群が動くためフォーカス感度がありフォーカスできる。
【００３０】
条件式（９）は、このように第２レンズ群と第４レンズ群の両方をフォーカスレンズ群とするときの該第２レンズ群と第４レンズ群の移動量比に関する条件である。条件式（９）の下限を超えることは第４レンズ群が動かないことを意味し、第２レンズ群が等倍位置に移動したとき、フォーカスできないズーム領域ができてしまう。条件式（９）の上限を超えると、第２レンズ群の移動量が小さくなり第４レンズ群の移動量を減らす効果が少なくなる。つまり、第４レンズ群の移動量が増えフォーカスに時間がかかってしまい、第３レンズ群との間隔も増大する結果像面湾曲も発生してしまう。
【００３１】
モータによって第２レンズ群と第４レンズ群を動かし電気的に制御を行う場合は、条件式（９）の移動量比（dX4／dX2）を整数とすると制御しやすい。より具体的にはこの移動量比は、１、２あるいは３程度がよい。
【００３２】
一方、最近のズームレンズ系では、レンズ位置をデジタル制御することが多く、焦点距離領域を複数段に分割したステップズームレンズでは、制御上の１ステップでのフォーカスによる移動量がズームの領域によっては非常に小さくなってしまう場合がある。このようなときには第２レンズ群と第４レンズ群の移動量比（dX2／dX4）はズーム領域によって変化させることが望ましい。具体的には1ステップあたりのフォーカス移動量が小さくなる短焦点距離側では第４レンズ群の移動量も小さくて済むので第２レンズ群の相対移動量を小さくし（あるいは動かさずdX2=0）、第２レンズ群のフォーカス移動量が大きくなってくるズーム中間領域から長焦点距離側にかけて第２レンズ群の相対移動量を大きくするのがよい。
【００３３】
条件式（１０）は、短焦点距離端から長焦点距離端のズーミングによる焦点距離変化に応じて移動量比を変化させる場合に、第２レンズ群と第４レンズ群とのフォーカス移動量比が常に満たすべき条件表す。下限値を越えることは普通は有り得ない。上限値を越えることは、第４レンズ群の移動量に対して第２レンズ群の移動量が大きくなり過ぎることを意味し、第２レンズ群のみでフォーカシングを行う従来の方式の短所が現れる。更に具体的には短焦点距離側では第２レンズ群は移動させず第４レンズ群の移動のみでフォーカスさせ（dX2/dX4＝０）、中間焦点距離域では第２、第４レンズ群を一体に移動させ（dX2/dX4＝１）、第２レンズ群のフォーカス感度が高くなる望遠側ではdX2を相対的に小さく（dX2/dX4＜1.0）とすると良い。このとき、dX2/dX3=1/2あるいは1/3とすると、モータによって第２レンズ群と第４レンズ群を動かし電気的に制御を行う場合に制御が楽である。
【００３４】
次に具体的な実施例を示す。諸収差図及び表中、ＳＡは球面収差、ＳＣは正弦条件、球面収差で表される色収差（軸上色収差）図及び倍率色収差図中のｄ線、ｇ線、Ｃ線はそれぞれの波長に対する収差、Ｓはサジタル、Ｍはメリディオナル、Ｙは像高、Ｗ半画角（゜）、FNO.はＦナンバー、Feは有効Ｆナンバー、ｆは全系の焦点距離、fBはバックフォーカス、ｒは曲率半径、ｄはレンズ厚またはレンズ間隔、Ｎd はｄ線の屈折率、νはアッベ数を示す。
【００３５】
［実施例１］
図１ないし図９は本発明のズームレンズ系の第１実施例を示している。図１、図３、図５はそれぞれ短焦点距離端、中間焦点距離、長焦点距離端において無限遠物点にフォーカシングしたときのレンズ構成図、図２、図４、図６はそれぞれ、図１、図３、図５のレンズ構成での諸収差図、図７、図８、図９はそれぞれ、短焦点距離端、中間焦点距離、長焦点距離端において有限距離物点にフォーカシングしたときの諸収差図、表１Ａおよび表１Ｂはその数値データである。表１Ａは無限遠物点にフォーカシングしたときの短焦点距離端、中間焦点距離、及び長焦点距離端を示している。表１Ｂは有限距離物点にフォーカシングしたときの短焦点距離端、中間焦点距離、及び長焦点距離端の値を、表１Ａに対して変化する部分を主に示している。有限距離は一定ではなく、各レンズデータ中の撮影倍率で間接的に表現されている。
【００３６】
正のパワーの第１レンズ群１０は、物体側から順に、負レンズと正レンズの貼合わせレンズと、物体側に凸の正メニスカスレンズとからなり、負のパワーの第２レンズ群２０は、物体側から順に、像側に強い凹面を向けた負レンズと、物体側が凹面の正レンズと負レンズの貼合わせレンズと、正レンズとからなり、正のパワーの第３レンズ群３０は、正レンズと負レンズの貼合わせレンズからなり、第４レンズ群４０は、物体側から順に、正の単レンズからなる第４ａレンズ群４０ａと、負レンズと正レンズの貼合せレンズからなる第４ｂレンズ群４０ｂとからなっている。第４レンズ群の像側には撮像素子の前方に位置するカバーガラス（平行平面板）Ｃ（面no.２１、２２）が位置している。フォーカシングは、第２レンズ群２０と第４レンズ群４０を個別に一定の移動量比で移動させて行う。絞Ｓは第３レンズ群の物体側（第１３面の前方）0.70mmの距離にある。
【００３７】
（表１Ａ）
FNO.= 1:2.9 - 3.2 - 3.6
f= 5.94 - 18.00 - 56.60
M= 0.000 - 0.000 - 0.000
fB= 5.67 - 5.67 - 5.67
面No.          ｒ          ｄ          Nd          ν
1          46.829        1.40     1.84666        23.8
2          27.662        5.57     1.49700        81.6
3        -174.104        0.10
4          25.347        3.72     1.72916        54.7
5          79.191   0.83-12.82-21.03
6          34.822        0.90     1.88300        40.8
7           7.429        2.81
8         -12.854        3.39     1.84666        23.8
9          -5.730        0.90     1.88300        40.8
10         45.452        0.34
11         23.938        1.87     1.64769        33.8
12        -41.572   22.10-10.10-1.90
13*        13.500        2.31     1.49700        81.6
14        -14.030        0.90     1.61293        37.0
15       -106.309   13.68-9.87-12.78
16*        15.792        2.22     1.58913        61.2
17        -38.529        5.88
18         15.674        0.90     1.84666        23.8
19          6.512        2.32     1.51742        52.4
20         27.209   0.80-4.61-1.70
21             ∞        1.70     1.51633        64.1
22             ∞           -
NO             Ｋ            Ａ４            Ａ６            Ａ８
13   -0.10000×101  -0.10975×10-4    0.74001×10-6
16   -0.10000×101  -0.58875×10-4    0.11028×10-6   -0.57869×10-8
【００３８】
（表１Ｂ）
Fe= 1:2.9 - 3.3 - 3.9
M= -0.025 - -0.064 - -0.150
fB= 5.67 - 5.67 - 5.67
面No.        ｄ
5      0.80-12.61-19.20
12    22.13-10.32- 3.73
15    13.54- 8.82- 3.66
20     0.94- 5.66-10.82
【００３９】
［実施例２］
図１０ないし図１８は本発明のズームレンズ系の第２実施例を示している。図１０、図１２、図１４はそれぞれ短焦点距離端、中間焦点距離、長焦点距離端での無限遠物点フォーカス時のレンズ構成図、図１１、図１３、図１５はそれぞれ、図１０、図１２、図１４のレンズ構成での諸収差図、図１６、図１７、図１８はそれぞれ、短焦点距離端、中間焦点距離、長焦点距離端での有限距離物点フォーカス時の諸収差図、表２Ａ、表２Ｂはその数値データである。基本的なレンズ構成およびフォーカシング方式は実施例１と同様である。絞Ｓは第３レンズ群の物体側（第１３面の前方）0.70mmの距離にある。
【００４０】
（表２Ａ）
FNO.= 1:2.8 - 3.2 - 3.6
f= 5.90 - 18.00 - 56.00
M= 0.000 - 0.000 - 0.000
fB= 2.94 - 2.94 - 2.94
面No.          ｒ          ｄ          Nd          ν
1          49.280        1.40     1.84666        23.8
2          28.156        5.60     1.49700        81.6
3        -144.830        0.10
4          24.886        3.70     1.72916        54.7
5          74.471   0.81-12.75-20.86
6*         31.213        1.00     1.85020        40.8
7          6.813        2.87
8         -14.908        2.37     1.80518        25.4
9          -6.290        0.90     1.88300        40.8
10         17.130        0.10
11         13.902        2.19     1.76182        26.5
12        -41.864   21.95-10.02-1.90
13*        14.423        2.50     1.49700        81.6
14         -9.484        1.00     1.60342        38.0
15        -40.103   15.05-10.94-13.20
16*        14.758        2.21     1.58913        61.2
17        -39.788        6.50
18         19.151        1.00     1.84666        23.8
19          6.530        3.00     1.51742        52.4
20         31.321   0.80-4.91-2.65
21             ∞        2.00     1.51633        64.1
22             ∞           -
NO          Ｋ         Ａ４         Ａ６         Ａ８         Ａ１０
6  -0.10000×101 -0.35695×10-4 0.22601×10-5 -0.97278×10-7 0.13092×10-8
13 -0.10000×101  0.13713×10-4 0.24311×10-6
16 -0.10000×101 -0.62768×10-4 0.16857×10-6 -0.69577×10-8
【００４１】
（表２Ｂ）
Fe= 1: 2.8 - 3.3 - 3.7
M= -0.025 - -0.062 - -0.117
fB= 2.94 - 2.94 - 2.94
面No.        ｄ
5      0.75-12.30-17.32
12    22.02-10.46- 5.45
15    14.92-10.04- 6.10
20     0.93- 5.81- 9.75
【００４２】
［実施例３］
図１９ないし図２７は本発明のズームレンズ系の第３実施例を示している。図１９、図２１、図２３はそれぞれ短焦点距離端、中間焦点距離、長焦点距離端での無限遠物点フォーカス時のレンズ構成図、図２０、図２２、図２４はそれぞれ、図１９、図２１、図２３のレンズ構成での諸収差図、図２５、図２６、図２７はそれぞれ、短焦点距離端、中間焦点距離、長焦点距離端での有限距離物点フォーカス時の諸収差図、表３Ａ、表３Ｂはその数値データである。基本的なレンズ構成およびフォーカシング方式は実施例１と同様である。絞Ｓは第３レンズ群の物体側（第１３面の前方）0.70mmの距離にある。
【００４３】
（表３Ａ）
FNO.= 1:2.8 - 3.2 - 3.6
f= 5.90 - 18.00 - 56.00
M= 0.000 - 0.000 - 0.000
fB= 3.91 - 3.91 - 3.9
面No.          ｒ          ｄ          Nd          ν
1          44.042        1.40     1.84666        23.8
2          27.472        5.82     1.43875        95.0
3        -120.611        0.10
4          25.064        3.78     1.72916        54.7
5          81.239   1.13-13.06-21.18
6*        100.057        1.00     1.85020        40.8
7           7.220        2.59
8         -13.466        2.01     1.80518        25.4
9          -6.943        0.90     1.88300        40.8
10         17.219        0.12
11         14.736        2.32     1.76182        26.5
12        -23.771   21.95-10.02-1.90
13*        11.881        2.46     1.43426        95.0
14        -11.599        1.00     1.60342        38.0
15        -50.091   13.19-9.50-12.62
16*        15.761        3.08     1.58913        61.2
17        -32.685        6.44
18         21.123        1.00     1.84666        23.8
19          6.908        3.00     1.51742        52.4
20         51.360   0.80-4.48-1.36
21             ∞        2.00     1.51633        64.1
22             ∞           -
NO          Ｋ         Ａ４         Ａ６         Ａ８         Ａ１０
6  -0.10000×101 -0.19860×10-4 0.35050×10-5 -0.14359×10-6 0.18922×10-8
13 -0.10000×101  0.21211×10-4 0.43985×10-6
16 -0.10000×101 -0.82687×10-4 0.43301×10-6 -0.15115×10-7
【００４４】
（表３Ｂ）
Fe= 1:2.8 - 3.3 - 4.5
M= -0.025 - -0.062 - -0.113
fB= 3.91 - 3.91 - 3.91
面No.        ｄ
5      1.06-12.60-17.47
12    22.02-10.48- 5.61
15    13.06- 8.58- 5.21
20     0.93- 5.40- 8.78
【００４５】
［実施例４］
図２８ないし図３６は本発明のズームレンズ系の第４実施例を示している。図２８、図３０、図３２はそれぞれ短焦点距離端、中間焦点距離、長焦点距離端での無限遠物点フォーカス時のレンズ構成図、図２９、図３１、図３３はそれぞれ、図２８、図３０、図３２のレンズ構成での諸収差図、図３４、図３５、図３６はそれぞれ、短焦点距離端、中間焦点距離、長焦点距離端での有限距離物点フォーカス時の諸収差図、表４Ａ、表４Ｂはその数値データである。基本的なレンズ構成およびフォーカシング方式は実施例１と同様である。絞Ｓは第３レンズ群の物体側（第１３面の前方）0.70mmの距離にある。
【００４６】
（表４Ａ）
FNO.= 1:2.8 - 3.2 - 3.6
f= 5.90 - 18.00 - 56.00
M= 0.000 - 0.000 - 0.000
fB= 4.78 - 4.78 - 4.78
面No.          ｒ          ｄ          Nd          ν
1          47.995        1.40     1.84666        23.8
2          27.499        5.63     1.49700        81.6
3        -161.690        0.10
4          24.837        3.78     1.73400        51.5
5          77.075   0.80-12.76-20.85
6*         31.831        1.00     1.85020        40.8
7           6.775        2.89
8         -11.859        2.20     1.80518        25.4
9          -6.102        0.90     1.88300        40.8
10         20.915        0.10
11         16.679        2.21     1.76182        26.5
12        -25.563   21.95-9.99-1.90
13*        12.749        2.45     1.43426        95.0
14        -10.865        1.00     1.61293        37.0
15        -36.389   13.35-9.60-12.58
16*        16.360        2.82     1.58913        61.2
17        -37.266        6.13
18         16.567        1.00     1.84666        23.8
19          6.888        3.00     1.51742        52.4
20         30.611   0.80-4.55-1.57
21             ∞        1.70     1.51633        64.1
22             ∞           -
NO          Ｋ         Ａ４         Ａ６         Ａ８         Ａ１０
6  -0.10000×101 -0.21522×10-4 0.27370×10-5 -0.10386×10-6 0.12934×10-8
13 -0.10000×101  0.16698×10-4 0.18372×10-5 -0.78848×10-7
16 -0.10000×101 -0.67316×10-4 0.22243×10-6 -0.88158×10-8
【００４７】
（表４Ｂ）
Fe= 1:2.8 - 3.3 - 4.4
M= -0.025 - -0.062 - -0.113
fB= 4.78 - 4.78 - 4.78
面No.        ｄ
5      0.73-12.30-17.19
12    22.02-10.45- 5.56
15    13.22- 8.69- 5.25
20     0.93- 5.46- 8.90
【００４８】
［実施例５］
図３７ないし図４５は本発明のズームレンズ系の第５実施例を示している。図３７、図３９、図４１はそれぞれ短焦点距離端、中間焦点距離、長焦点距離端での無限遠物点フォーカス時のレンズ構成図、図３８、図４０、図４２はそれぞれ、図３７、図３９、図４１のレンズ構成での諸収差図、図４３、図４４、図４５はそれぞれ、短焦点距離端、中間焦点距離、長焦点距離端での有限距離物点フォーカス時の諸収差図、表５Ａ、表５Ｂはその数値データである。基本的なレンズ構成およびフォーカシング方式は実施例１と同様である。絞Ｓは第３レンズ群の物体側（第１３面の前方）0.70mmの距離にある。
【００４９】
（表５Ａ）
FNO.= 1:2.8 - 3.2 - 3.6
f= 5.94 - 18.00 - 56.60
M= 0.000 - 0.000 - 0.000
fB= 6.41 - 6.41 - 6.41
面No.          ｒ          ｄ          Nd          ν
1          45.832        1.40     1.84666        23.8
2          27.636        5.55     1.49700        81.6
3        -178.876        0.10
4          25.457        3.68     1.72916        54.7
5          78.187   0.92-12.92-21.12
6          42.092        0.90     1.88300        40.8
7           7.464        2.73
8         -12.922        3.29     1.84666        23.8
9          -5.841        0.90     1.88300        40.8
10         42.578        0.35
11         23.354        1.93     1.64769        33.8
12        -35.698   22.10-10.10-1.90
13*        12.974        2.34     1.43426        95.0
14        -13.742        0.90     1.61293        37.0
15        -46.190   13.29-9.54-12.58
16*        16.705        2.25     1.58913        61.2
17        -37.252        5.54
18         14.260        0.90     1.84666        23.8
19          6.495        2.31     1.51742        52.4
20         22.563   0.80-4.55-1.52
21             ∞        1.70     1.51633        64.1
22             ∞           -
NO             Ｋ            Ａ４            Ａ６            Ａ８
13   -0.10000×101  -0.13404×10-4    0.12644×10-5   -0.28995×10-7
16   -0.10000×101  -0.56029×10-4    0.10702×10-6   -0.51595×10-8
【００５０】
（表５Ｂ）
Fe= 1:2.8 - 3.3 - 4.4
M= -0.025 - -0.062 - -0.113
fB= 6.41 - 6.41 - 6.41
面No.        ｄ
5      0.86-12.46-17.42
12    22.16-10.56- 5.60
15    13.16- 8.63- 5.18
20     0.93- 5.47- 8.91
【００５１】
［実施例６］
図４６ないし図５４は本発明のズームレンズ系の第６実施例を示している。図４６、図４８、図５０はそれぞれ短焦点距離端、中間焦点距離、長焦点距離端での無限遠物点フォーカス時のレンズ構成図、図４７、図４９、図５１はそれぞれ、図４６、図４８、図５０のレンズ構成での諸収差図、図５２、図５３、図５４はそれぞれ、短焦点距離端、中間焦点距離、長焦点距離端での有限距離物点フォーカス時の諸収差図、表６Ａ、表６Ｂはその数値データである。基本的なレンズ構成およびフォーカシング方式は実施例１と同様である。絞Ｓは第３レンズ群の物体側（第１３面の前方）0.70mmの距離にある。
【００５２】
（表６Ａ）
FNO.= 1:2.8 - 3.2 - 3.6
f= 5.90 - 18.00 - 56.00
M= 0.000 - 0.000 - 0.000
fB= 4.38 - 4.38 - 4.38
面No.          ｒ          ｄ          Nd          ν
1          48.381        1.40     1.84666        23.8
2          26.352        5.74     1.48749        70.2
3        -180.593        0.10
4          25.617        3.99     1.73400        51.5
5         107.123   0.81-12.75-20.86
6*         42.541        1.00     1.85020        40.8
7           7.356        2.79
8         -11.500        2.44     1.80518        25.4
9          -5.610        0.90     1.88300        40.8
10         36.083        0.10
11         24.415        1.99     1.76182        26.5
12        -26.626   21.95-10.01-1.90
13*        12.371        2.65     1.49700        81.6
14         -8.487        1.00     1.56732        42.8
15       -364.165   13.15-9.49-12.72
16*        14.782        2.45     1.58913        61.2
17        -51.567        6.66
18         14.841        1.00     1.84666        23.8
19          6.433        3.00     1.51742        52.4
20         30.641   0.80-4.46-1.23
21             ∞        1.70     1.51633        64.1
22             ∞           -
NO          Ｋ         Ａ４         Ａ６         Ａ８         Ａ１０
6  -0.10000×101 -0.15179×10-4 0.38697×10-5 -0.13785×10-6 0.18930×10-8
13 -0.10000×101  0.28326×10-4 0.18229×10-5 -0.64490×10-7
16 -0.10000×101 -0.64350×10-4 0.34702×10-6 -0.13361×10-7
【００５３】
（表６Ｂ）
Fe= 1: 2.8 - 3.3 - 4.5
M= -0.025 - -0.062 - -0.113
fB= 4.38 - 4.38 - 4.38
面No.        ｄ
5      0.74-12.29-17.13
12    22.02-10.47- 5.64
15    13.02- 8.57- 5.25
20     0.93- 5.38- 8.70
【００５４】
［実施例７］
図５５ないし図６３は本発明のズームレンズ系の第７実施例を示している。図５５、図５７、図５９はそれぞれ短焦点距離端、中間焦点距離、長焦点距離端での無限遠物点フォーカス時のレンズ構成図、図５６、図５８、図６０はそれぞれ、図５５、図５７、図５９のレンズ構成での諸収差図、図６１、図６２、図６３はそれぞれ、短焦点距離端、中間焦点距離、長焦点距離端での有限距離物点フォーカス時の諸収差図、表７Ａ、表７Ｂはその数値データである。基本的なレンズ構成およびフォーカシング方式は実施例１と同様である。絞Ｓは第３レンズ群の物体側（第１３面の前方）0.70mmの距離にある。
【００５５】
（表７Ａ）
FNO.= 1:2.8 - 3.2 - 3.6
f= 5.94 - 18.00 - 56.60
M= 0.000 - 0.000 - 0.000
fB= 6.63 - 6.63 - 6.63
面No.          ｒ          ｄ          Nd          ν
1          48.615        1.40     1.84666        23.8
2          27.260        5.68     1.48749        70.2
3        -157.966        0.10
4          24.989        3.87     1.72916        54.7
5          85.363   0.80-12.78-21.00
6          34.274        0.90     1.88300        40.8
7           7.331        2.83
8         -12.862        3.36     1.84666        23.8
9          -5.753        0.90     1.88300        40.8
10         62.110        0.30
11         24.942        1.82     1.64769        33.8
12        -48.037   22.10-10.12-1.90
13*        12.987        2.32     1.43426        95.0
14        -14.055        0.90     1.61293        37.0
15        -46.035   13.25-9.51-12.63
16*        16.899        2.17     1.58913        61.2
17        -36.362        5.23
18         13.818        0.90     1.84666        23.8
19          6.479        2.33     1.51742        52.4
20         21.067   0.80-4.54-1.43
21             ∞        1.70     1.51633        64.1
22             ∞           -
NO             Ｋ            Ａ４            Ａ６            Ａ８
13   -0.10000×101  -0.21889×10-4    0.15575×10-5   -0.32228×10-7
16   -0.10000×101  -0.55786×10-4    0.11336×10-6   -0.50252×10-8
【００５６】
（表７Ｂ）
Fe= 1:2.8 - 3.3 - 4.4
M= -0.025 - -0.062 - -0.113
fB= 6.63 - 6.63 - 6.63
面No.        ｄ
5      0.73-12.32-17.27
12    22.16-10.57- 5.63
15    13.12- 8.60- 5.17
20     0.93- 5.46- 8.89
【００５７】
［実施例８］
図６４ないし図７２は本発明のズームレンズ系の第８実施例を示している。図６４、図６６、図６８はそれぞれ短焦点距離端、中間焦点距離、長焦点距離端での無限遠物点フォーカス時のレンズ構成図、図６５、図６７、図６９はそれぞれ、図６４、図６６、図６８のレンズ構成での諸収差図、図７０、図７１、図７２はそれぞれ、短焦点距離端、中間焦点距離、長焦点距離端での有限距離物点フォーカス時の諸収差図、表８Ａ、表８Ｂはその数値データである。基本的なレンズ構成は実施例１と同様である。フォーカシング方式は短焦点距離端とｆ＝１８においては第４レンズ群のみが移動し、ｆ＝３２においては第２、第４レンズ群が同一移動量比（dX2/dX4=1.0）で移動し、長焦点距離端ではdX2/dX4=1/3で移動する。絞Ｓは第３レンズ群の物体側（第１３面の前方）1.25mmの距離にある。
【００５８】
（表８Ａ）
FNO.= 1:2.8 - 3.2 - 3.6
f= 5.94 - 18.00 - 56.60
M= 0.000 - 0.000 - 0.000
fB= 5.49 - 5.49 - 5.49
面No.          ｒ          ｄ          Nd          ν
1          56.804        1.40     1.84666        23.8
2          28.040        5.83     1.48749        70.2
3        -125.705        0.10
4          25.307        4.04     1.77250        49.6
5          90.627   1.04-12.97-21.24
6          72.399        0.90     1.88300        40.8
7           7.728        2.61
8         -16.628        3.45     1.84666        23.8
9          -6.057        0.90     1.88300        40.8
10         49.892        0.29
11         22.629        1.85     1.65446        33.6
12        -74.164   22.65-10.72-2.45
13*        12.902        2.46     1.43426        95.0
14        -13.820        0.90     1.62588        35.7
15        -43.931   13.07-9.35-12.65
16*        15.880        3.00     1.58913        61.2
17        -36.236        5.23
18         16.498        1.00     1.84666        23.8
19          6.824        3.00     1.51742        52.4
20         22.141   0.80-4.52-1.22
21             ∞        1.70     1.51633        64.1
22             ∞           -
NO             Ｋ            Ａ４            Ａ６
13   -0.10000×101   0.11048×10-4    0.18229×10-5
16   -0.10000×101  -0.63958×10-4   -0.10148×10-6
【００５９】
（表８Ｂ）
Fe= 1:2.8 - 3.3 - 4.6
M= -0.025 - -0.066 - -0.131
fB= 5.49 - 5.49 - 5.49
面No.        ｄ
5      1.04-12.97-18.42
12    22.65-10.72- 5.27
15    12.92- 8.16- 4.18
20     0.95- 5.71- 9.69
【００６０】
［実施例９］
図７３ないし図８１は本発明のズームレンズ系の第９実施例を示している。図７３、図７５、図７７はそれぞれ短焦点距離端、中間焦点距離、長焦点距離端での無限遠物点フォーカス時のレンズ構成図、図７４、図７６、図７８はそれぞれ、図７３、図７５、図７７のレンズ構成での諸収差図、図７９、図８０、図８１はそれぞれ、短焦点距離端、中間焦点距離、長焦点距離端での有限距離物点フォーカス時の諸収差図、表９Ａ、表９Ｂはその数値データである。基本的なレンズ構成およびフォーカシング方式は実施例８と同様である。絞Ｓは第３レンズ群の物体側（第１３面の前方）1.25mmの距離にある。
【００６１】
（表９Ａ）
FNO.= 1:2.9 - 3.4 - 3.4
f= 5.91 - 18.00 - 56.60
M= 0.000 - 0.000 - 0.000
fB= 6.28 - 6.28 - 6.28
面No.          ｒ          ｄ          Nd          ν
1          62.132        1.40     1.84666        23.8
2          28.852        6.03     1.48749        70.2
3        -100.000        0.10
4          25.250        4.09     1.77250        49.6
5          91.368   1.12-12.75-20.92
6         104.871        0.90     1.88300        40.8
7           8.619        2.46
8         -19.286        3.27     1.84666        23.8
9          -6.776        0.90     1.88300        40.8
10         17.947        0.39
11         15.516        1.96     1.72825        28.5
12       -104.266   22.56-10.93-2.76
13*        11.248        2.62     1.43312        95.2
14        -18.768        0.90     1.62588        35.7
15       -106.721   12.10-8.26-11.38
16*        11.746        3.00     1.58913        61.2
17*       -58.024        3.77
18         28.438        1.00     1.71736        29.5
19          5.672        3.00     1.51742        52.4
20         33.625   0.80-4.63-1.52
21             ∞        1.70     1.51633        64.1
22             ∞           -
NO             Ｋ            Ａ４            Ａ６
13   -0.10000×101   0.33790×10-5
16   -0.10000×101   0.66354×10-4    0.29304×10-5
17   -0.10000×101   0.15598×10-3    0.28865×10-5
【００６２】
（表９Ｂ）
Fe= 1:2.9 - 3.4 - 3.9
M= -0.006 - -0.017 - -0.042
fB= 6.28 - 6.28 - 6.28
面No.        ｄ
5      1.12-12.75-19.45
12    22.56-10.93- 4.22
15    12.06- 7.96- 6.97
20     0.84- 4.94- 5.92
【００６３】
［実施例１０］
図８２ないし図９０は本発明のズームレンズ系の第１０実施例を示している。図８２、図８４、図８６はそれぞれ短焦点距離端、中間焦点距離、長焦点距離端での無限遠物点フォーカス時のレンズ構成図、図８３、図８５、図８７はそれぞれ、図８２、図８４、図８６のレンズ構成での諸収差図、図８８、図８９、図９０はそれぞれ、短焦点距離端、中間焦点距離、長焦点距離端での有限距離物点フォーカス時の諸収差図、表１０Ａ、表１０Ｂはその数値データである。基本的なレンズ構成およびフォーカシング方式は実施例８と同様である。絞Ｓは第３レンズ群の物体側（第１３面の前方）1.25mmの距離にある。
【００６４】
（表１０Ａ）
FNO.= 1:2.9 - 3.2 - 3.6
f= 5.94 - 18.00 - 56.60
M= 0.000 - 0.000 - 0.000
fB= 4.37 - 4.37 - 4.37
面No.          ｒ          ｄ          Nd          ν
1          58.509        1.40     1.84666        23.8
2          29.618        5.88     1.49700        81.6
3        -106.238        0.10
4          25.365        3.88     1.77250        49.6
5          80.491   1.15-12.86-21.01
6         108.017        0.90     1.88300        40.8
7           8.222        2.46
8         -17.114        3.27     1.84666        23.8
9          -6.917        0.90     1.88300        40.8
10         23.494        0.39
11         18.155        1.96     1.72825        28.5
12        -69.555   22.65-10.94-2.79
13*        11.255        2.62     1.43312        95.2
14        -18.768        0.90     1.62588        35.7
15       -106.721   13.55-9.77-12.97
16*        14.130        3.00     1.58636        60.9
17        -37.189        5.83
18         20.676        1.00     1.84666        23.8
19          6.477        3.00     1.51742        52.4
20         32.702   0.80-4.58-1.39
21             ∞        1.70     1.51633        64.1
22             ∞           -
NO             Ｋ            Ａ４            Ａ６
13   -0.10000×101   0.66091×10-5
16   -0.10000×101  -0.73349×10-4   -0.92249×10-7
【００６５】
（表１０Ｂ）
Fe= 1:2.9 - 3.3 - 4.7
M= -0.025 - -0.066 - -0.132
fB= 4.37 - 4.37 - 4.37
面No.        ｄ
5      1.15-12.86-18.18
12    22.65-10.94- 5.62
15    13.40- 8.58- 4.49
20     0.95- 5.77- 9.86
【００６６】
［実施例１１］
図９１ないし図９９は本発明のズームレンズ系の第１１実施例を示している。図９１、図９３、図９５はそれぞれ短焦点距離端、中間焦点距離、長焦点距離端での無限遠物点フォーカス時のレンズ構成図、図９２、図９４、図９６はそれぞれ、図９１、図９３、図９５のレンズ構成での諸収差図、図９７、図９８、図９９はそれぞれ、短焦点距離端、中間焦点距離、長焦点距離端での有限距離物点フォーカス時の諸収差図、表１１Ａ、表１１Ｂはその数値データである。基本的なレンズ構成およびフォーカシング方式は実施例８と同様である。絞Ｓは第３レンズ群の物体側（第１３面の前方）1.25mmの距離にある。
【００６７】
（表１１Ａ）
FNO.= 1:2.9 - 3.2 - 3.6
f= 5.94 - 18.00 - 56.60
W= 31.2 - 10.6 - 3.4
fB = 4.19 - 4.19 - 4.19
面No.          ｒ          ｄ          Nd          ν
1          53.185        1.40     1.84666        23.8
2          28.947        6.09     1.43875        95.0
3         -91.990        0.10
4          24.938        3.98     1.77250        49.6
5          82.093   1.10-12.83-20.95
6          82.176        0.90     1.88300        40.8
7           8.086        2.51
8         -15.428        3.16     1.84666        23.8
9          -6.761        0.90     1.88300        40.8
10         23.456        0.41
11         18.509        1.96     1.72825        28.5
12        -53.039   22.65-10.91-2.79
13*        11.255        2.62     1.43312        95.2
14        -18.768        0.90     1.62588        35.7
15       -106.749   13.81-9.93-12.96
16*        14.130        3.00     1.58636        60.9
17        -37.189        6.14
18         25.209        1.00     1.84666        23.8
19          6.692        3.00     1.51742        52.4
20         54.789   0.80-4.69-1.65
21             ∞        1.70     1.51633        64.1
22             ∞           -
NO             Ｋ            Ａ４            Ａ６
13   -0.10000×101   0.66091×10-5
16   -0.10000×101  -0.73349×10-4   -0.92249×10-7
【００６８】
（表１１Ｂ）
Fe= 1:2.9 - 3.2 - 3.6
M= -0.025 - -0.064 - -0.150
fB= 4.19 - 4.19 - 4.19
面No.        ｄ
5      1.10-12.83-18.15
12    22.65-10.91- 5.59
15    13.66- 8.73- 4.56
20     0.95- 5.88-10.06
【００６９】
各実施例の各条件式に対する値を表１２に示す。
【表１２】
0004723012.tif 000002
【００７０】
表１２から明らかなように、実施例１ないし７は、条件式（１）ないし（９）を満足し、実施例８ないし１１は、条件式（１）ないし（８）及び（１０）を満足し、諸収差も比較的よく補正されている。
【図１】
0004723012.tif 000003
【図２】
0004723012.tif 000004
【図３】
0004723012.tif 000005
【図４】
0004723012.tif 000006
【図５】
0004723012.tif 000007
【図６】
0004723012.tif 000008
【図７】
0004723012.tif 000009
【図８】
0004723012.tif 000010
【図９】
0004723012.tif 000011
【図１０】
0004723012.tif 000012
【図１１】
0004723012.tif 000013
【図１２】
0004723012.tif 000014
【図１３】
0004723012.tif 000015
【図１４】
0004723012.tif 000016
【図１５】
0004723012.tif 000017
【図１６】
0004723012.tif 000018
【図１７】
0004723012.tif 000019
【図１８】
0004723012.tif 000020
【図１９】
0004723012.tif 000021
【図２０】
0004723012.tif 000022
【図２１】
0004723012.tif 000023
【図２２】
0004723012.tif 000024
【図２３】
0004723012.tif 000025
【図２４】
0004723012.tif 000026
【図２５】
0004723012.tif 000027
【図２６】
0004723012.tif 000028
【図２７】
0004723012.tif 000029
【図２８】
0004723012.tif 000030
【図２９】
0004723012.tif 000031
【図３０】
0004723012.tif 000032
【図３１】
0004723012.tif 000033
【図３２】
0004723012.tif 000034
【図３３】
0004723012.tif 000035
【図３４】
0004723012.tif 000036
【図３５】
0004723012.tif 000037
【図３６】
0004723012.tif 000038
【図３７】
0004723012.tif 000039
【図３８】
0004723012.tif 000040
【図３９】
0004723012.tif 000041
【図４０】
0004723012.tif 000042
【図４１】
0004723012.tif 000043
【図４２】
0004723012.tif 000044
【図４３】
0004723012.tif 000045
【図４４】
0004723012.tif 000046
【図４５】
0004723012.tif 000047
【図４６】
0004723012.tif 000048
【図４７】
0004723012.tif 000049
【図４８】
0004723012.tif 000050
【図４９】
0004723012.tif 000051
【図５０】
0004723012.tif 000052
【図５１】
0004723012.tif 000053
【図５２】
0004723012.tif 000054
【図５３】
0004723012.tif 000055
【図５４】
0004723012.tif 000056
【図５５】
0004723012.tif 000057
【図５６】
0004723012.tif 000058
【図５７】
0004723012.tif 000059
【図５８】
0004723012.tif 000060
【図５９】
0004723012.tif 000061
【図６０】
0004723012.tif 000062
【図６１】
0004723012.tif 000063
【図６２】
0004723012.tif 000064
【図６３】
0004723012.tif 000065
【図６４】
0004723012.tif 000066
【図６５】
0004723012.tif 000067
【図６６】
0004723012.tif 000068
【図６７】
0004723012.tif 000069
【図６８】
0004723012.tif 000070
【図６９】
0004723012.tif 000071
【図７０】
0004723012.tif 000072
【図７１】
0004723012.tif 000073
【図７２】
0004723012.tif 000074
【図７３】
0004723012.tif 000075
【図７４】
0004723012.tif 000076
【図７５】
0004723012.tif 000077
【図７６】
0004723012.tif 000078
【図７７】
0004723012.tif 000079
【図７８】
0004723012.tif 000080
【図７９】
0004723012.tif 000081
【図８０】
0004723012.tif 000082
【図８１】
0004723012.tif 000083
【図８２】
0004723012.tif 000084
【図８３】
0004723012.tif 000085
【図８４】
0004723012.tif 000086
【図８５】
0004723012.tif 000087
【図８６】
0004723012.tif 000088
【図８７】
0004723012.tif 000089
【図８８】
0004723012.tif 000090
【図８９】
0004723012.tif 000091
【図９０】
0004723012.tif 000092
【図９１】
0004723012.tif 000093
【図９２】
0004723012.tif 000094
【図９３】
0004723012.tif 000095
【図９４】
0004723012.tif 000096
【図９５】
0004723012.tif 000097
【図９６】
0004723012.tif 000098
【図９７】
0004723012.tif 000099
【図９８】
0004723012.tif 000100
【図９９】
0004723012.tif 000101
【図１００】
0004723012.tif 000102